(57)【要約】      （修正有）【課題】指定された角度の位置に正確に取付けることができるピックアップレンズ及び光ピックアップ装置を提供する。【解決手段】ピックアップレンズは、光ディスクの記録／再生を行うためのピックアップレンズ１１であって、光学的機能を有する光学機能部１１１と、光学機能部１１１の外周に設けられたフランジ部１１２とを備え、光学機能部１１１の光軸に対して略平行に平面視したフランジ部１１２の外周の形状は多角形状である。光ピックアップ装置は、ピックアップレンズ１１と、ピックアップレンズ１１が取付けられるレンズホルダーとを有し、レンズホルダーは、ピックアップレンズ１１のフランジ部１１２が嵌め込まれ、ピックアップレンズ１１を収容する収容部を備える。【選択図】図２
2008021357.tif 000002
【特許請求の範囲】
【請求項１】
光ディスクの記録／再生を行うためのピックアップレンズであって、
光学的機能を有する光学機能部と、
当該光学機能部の外周に設けられたフランジ部とを備え、
前記光学機能部の光軸に対して略平行に平面視した前記フランジ部の外周の形状は多角形状であることを特徴とするピックアップレンズ。
【請求項２】
前記光学機能部の光軸に対して略平行に平面視した前記フランジ部の外周の形状は略８角形状であることを特徴とする請求項１に記載のピックアップレンズ。
【請求項３】
プラスチックレンズであることを特徴とする請求項１又は２に記載のピックアップレンズ。
【請求項４】
光ディスクの記録／再生を行うためのピックアップレンズと、当該ピックアップレンズが取付けられるレンズホルダーとを有する光ピックアップ装置であって、
前記ピックアップレンズは、光学的機能を有する光学機能部と、当該光学機能部の外周に設けられたフランジ部とを備え、
前記レンズホルダーは、前記ピックアップレンズの前記フランジ部が嵌め込まれ、前記ピックアップレンズを収容する収容部を備え、
前記光学機能部の光軸に対して略平行に平面視した前記フランジ部の外周の形状は多角形状であることを特徴とする光ピックアップ装置。
【請求項５】
前記光学機能部の光軸に対して略平行に平面視した前記フランジ部の外周の形状は略８角形状であることを特徴とする請求項４に記載の光ピックアップ装置。
【請求項６】
前記ピックアップレンズはプラスチックレンズであることを特徴とする請求項４に記載の光ピックアップ装置。
【請求項７】
前記ピックアップレンズは、前記レンズホルダーに対する位置決めの基準となるレンズ側マーキングを有することを特徴とする請求項４に記載の光ピックアップ装置。
【請求項８】
前記レンズホルダーは、前記レンズ側マーキングと前記レンズホルダーとの相対位置を定めるためのホルダー側マーキングを有することを特徴とする請求項７に記載の光ピックアップ装置。
【請求項９】
前記収容部は、多角形状の前記フランジ部の外周における角部分に当接する複数の保持リブから構成されることを特徴とする請求項４に記載の光ピックアップ装置。
【請求項１０】
前記収容部は、多角形状の前記フランジ部の外周における辺部分に当接する複数の保持ピンから構成されることを特徴とする請求項４に記載の光ピックアップ装置。
【発明の詳細な説明】
【技術分野】
【０００１】
本発明は、ピックアップレンズ及び光ピックアップ装置に関する。
【背景技術】
【０００２】
近年、デジタルカメラやＣＤ、ＤＶＤ等の光学記録媒体に種々の情報を記録し、再生する光ディスク装置が広く普及している。例えば、この光ディスク装置は、光学記録媒体に情報を記録したり、光学記録媒体に記録された情報を読み取ったりする光ピックアップ装置を備えている。光ピックアップ装置は、光源からの光を光学記録媒体に集光させるためのピックアップレンズを備えている。
【０００３】
ピックアップレンズは、一般に各種プラスチックや、ガラスを成形することにより製造される。プラスチック製のピックアップレンズは、成形金型を用いた射出成形やトランスファ成形等により製造される。例えば、射出成形では、ゲートから金型内のキャビティに樹脂を流し込み、この樹脂を冷却することによってピックアップレンズを製造する（例えば、特許文献１等参照）。
【０００４】
この種のプラスチックレンズは、製品単価を下げるために大量生産が行われる。そのため、複数のキャビティを有する成形金型を用いて同時に複数のレンズが製造される。例えば、８個のキャビティを有する成形金型が用いられ、同時に８個のレンズが製造される。
ピックアップレンズは、金型の加工が容易であることから、一般的に円形状又は略円形状に形成されている。このような形状にすることで、光軸を中心にレンズを回転させることにより非点収差の調整を自由に行うことができ、ピックアップの特性を最適なものとすることができる。
【０００５】
図６に、従来の光ピックアップ装置のアクチュエータの一例が示されている。このアクチュエータ９００では、ピックアップレンズ９１１はレンズホルダー９１２に取付けられ、レンズホルダー９１２はワイヤによって前後左右に移動可能にアクチュエータ９００に取付けられている。レンズホルダー９１２は、台座９１３と保持リブとによって構成され、レンズホルダー９１２は台座９１３に取付けられている。この台座９１３には、ピックアップレンズ９１１を臨ませて光線を通過させる孔が形成されている。ピックアップレンズ９１１を保持する保持リブは、台座９１３と、これに形成された孔との外周に設けられている。この保持リブにより、ピックアップレンズ９１１を収容するための収容部が形成されている。
【０００６】
レンズホルダー９１２内では、ピックアップレンズ９１１を当該ピックレンズの光軸を中心に自由に回転することができる。そのため、収差調整の自由度を高めることができるが、固定位置の正確性に欠ける。また、ピックアップレンズ９１１を取付ける際には、指定された角度に取付けられることが要求されている。ピックアップレンズの光学的特性の傾向は、キャビティごとに異なるため、レンズホルダーに取付ける際に最適な取付け角度が設定される。
【特許文献１】特開２００２−１２２７１１号公報
【発明の開示】
【発明が解決しようとする課題】
【０００７】
このような円形状又は略円形状のレンズでは、角度調整の自由度が高いものの、指定された角度に回転させた位置に取付けることは難しい。例えば、レンズホルダーにある凸部を目安としたら、ピックアップ上に設けられたマーキングとレンズに設けられたマーキングを目安として、指定の角度を目視で判断して取付けている。また、角度の調整量は本来、レンズごとに異なるものであるが、現状ではキャビティごとには変更不可であり、例えば、同一キャビティ同一成型ロットであれば、同一の調整量としている。このように、レンズが円形状又は略円形状である場合、自由に回転できるものの、正確な角度で取付けることが難しく、指定する角度は、１１°や１２°といった角度ではなく、角度の目安となりやすい約４５°きざみでの調整角度が指定されることが多い。しかしながら、キャビティが多数になると調整量が多岐となり対応が困難となるため、調整量をグループ化している。
【０００８】
また、円形状又は略円形状のレンズをピンセット等で挟んで回転させる場合には、微妙な角度調整では、ピンセットがレンズをはじいて不良にするといった危険性が生じやすい。さらに、レンズを固定する際の接着剤の塗布の際には、接着材の粘着力によってレンズの角度が安定せず、ピックアップ特性が不安定になる。
本発明は、このような問題点を解決するためになされたもので、指定された角度の位置に正確に取付けることができるピックアップレンズ及び光ピックアップ装置を提供することを目的とする。
【課題を解決するための手段】
【０００９】
本発明に係るピックアップレンズは、光ディスクの記録／再生を行うためのピックアップレンズであって、光学的機能を有する光学機能部と、当該光学機能部の外周に設けられたフランジ部とを備え、前記光学機能部の光軸に対して略平行に平面視した前記フランジ部の外周の形状は多角形状であることを特徴とする。このような構成により、各角部ごとに回転させて位置調整することができ、指定された角度の位置に正確に取付けることができる。
【００１０】
好適には、前記光学機能部の光軸に対して略平行に平面視した前記フランジ部の外周の形状は略８角形状である。これにより、ピックアップレンズを略４５度ずつ回転させて位置調整し、略４５度ごとに指定された角度の位置に正確に取付けることができる。
【００１１】
また、本発明に係るピックアップレンズは、プラスチックレンズである。これにより、射出成型によってピックアップレンズを容易に作製することができる。
【００１２】
本発明に係る光ピックアップ装置は、光ディスクの記録／再生を行うためのピックアップレンズと、前記ピックアップレンズが取付けられるレンズホルダーとを有する光ピックアップ装置であって、前記ピックアップレンズは、光学的機能を有する光学機能部と、当該光学機能部の外周に設けられたフランジ部とを備え、前記レンズホルダーは、前記ピックアップレンズの前記フランジ部が嵌め込まれ、前記ピックアップレンズを収容する収容部を備え、前記光学機能部の光軸に対して略平行に平面視した前記フランジ部の外周の形状は多角形状であることを特徴とする。このような構成により、各角部ごとに回転させて位置調整することができ、指定された角度の位置に正確かつ確実に取付けることができる。
【００１３】
好適には、前記光学機能部の光軸に対して略平行に平面視した前記フランジ部の外周の形状は略８角形状であることを特徴とする。これにより、ピックアップレンズを略４５度ずつ回転させて位置調整し、略４５度ごとに指定された角度の位置に正確に取付けることができる。
【００１４】
また、前記ピックアップレンズはプラスチックレンズであることを特徴とする。これにより、射出成型によってピックアップレンズを容易に作製することができる。
【００１５】
さらに、前記ピックアップレンズは、前記レンズホルダーに対する位置決めの基準となるレンズ側マーキングを有することを特徴とする。これにより、ピックアップレンズを指定された角度の位置により正確に取付けることができる。
【００１６】
さらにまた、前記レンズホルダーは、前記レンズ側マーキングと前記レンズホルダーとの相対位置を定めるためのホルダー側マーキングを有することを特徴とする。これにより、ピックアップレンズを指定された角度の位置により正確に取付けることができる。
【００１７】
また、前記収容部は、多角形状の前記フランジ部の外周における角部分に当接する複数の保持リブから構成されることを特徴とする。これにより、レンズホルダーを作製するときに保持リブを同時に簡便に作製することができる。
【００１８】
またさらに、前記収容部は、多角形状の前記フランジ部の外周における辺部分に当接する複数の保持ピンから構成されることを特徴とする。これにより、レンズホルダーを作製するときに保持ピンを同時に簡便に作製することができる。
【発明の効果】
【００１９】
本発明によれば、指定された角度の位置に正確に取付けることができるピックアップレンズ及び光ピックアップ装置を提供することができる。
【発明を実施するための最良の形態】
【００２０】
以下、本発明を実施するための最良の形態について図を参照しながら説明する。
【００２１】
発明の実施の形態１．
まず、図１を用いて、本発明に係る光ピックアップ装置の構成について概略的に説明する。図１は、本発明に係る光ピックアップ装置の一構成例を示す斜視図である。図１に示すように、本発明に係る光ピックアップ装置１は、ピックアップレンズ１１と、レンズホルダー１２が設けられたアクチュエータ１３とを備えている。以下、これらをレンズ１１、ホルダー１２と略す。
【００２２】
レンズ１１は成形金型を用いて射出成形されたプラスチックレンズであり、アクチュエータ１３は、その詳細を図示しないが、レンズ１１を駆動させるための装置である。アクチュエータ１３のホルダー１２はレンズ１１を保持する保持部材であり、これらの詳細については後述する。レンズ１１は、ホルダー１２に取付けられることによって光ピックアップ装置１のアクチュエータ１３に搭載される。レンズ１１は、ホルダー１２に嵌め込まれた状態で接着剤によって固定されている。また、レンズ１１には、ホルダー１２に対する相対位置を示すためのマーキング１１０が形成されている。このマーキング１１０を目視あるいは拡大鏡により観察しながら、レンズ１１をホルダー１２に取付ける。
【００２３】
続いて、図２を用いて、本発明に係るレンズ１１について具体的に説明する。図２は、本発明に係るレンズ１１を示す図であり、図２（ａ）は上面図である。図２（ｂ）は側面図と断面図であり、その右半分が側面図、左半分が断面図である。
図２に示すように、レンズ１１は、光学機能部１１１と、フランジ部１１２とを有し、このレンズ１１では光学機能部１１１、フランジ部１１２とが一体成形されている。
【００２４】
光学機能部１１１は、光学的に機能する部分であり、レンズ１１が広義のレンズであるのに対して狭義のレンズである。詳細には、光学機能部１１１は、上側の表面または下側の表面に凸状や凹上の曲面を有した光を通過させる部分である。
【００２５】
フランジ部１１２は、レンズ１１のうち、光学機能部１１１の外周部分であり、フランジ上面１１２ａ、フランジ下面１１２ｂ、フランジ側面１１２ｃを有する。フランジ上面１１２ａは、光ピックアップ装置１が光ディスク装置に取付けられ、光学記録媒体より情報を読み取る状態で、光学記録媒体側に設けられている。これに対して、フランジ下面１１２ｂは、フランジ上面１１２ａとは反対側に配置され、光ピックアップ装置１が取付けられた状態で、光学記録媒体とは反対側に設けられている。
【００２６】
フランジ側面１１２ｃは、フランジ部１１２の外周部分に配置され、その平面形状は、レンズ１１の光軸に対して略平行に平面視したとき、多角形状の形状であり、より具体的には略８角形状の形状である。すなわち、レンズ１１の光軸に対して略平行に平面視したフランジ部１１２の外周部分の形状は、多角形状であり、具体的には略８角形状の形状である。
【００２７】
ここで、光軸方向から見たフランジ部１１２の外周の平面形状が略８角形状の場合には、例えばレンズ１１を反時計回り方向に回すことにより、４５°、９０°というように４５°きざみでレンズ１１を回転させて正確にホルダー１２に取付けることができる。また、マーキング１１０によって、マーキング１１０の相対角度から、ホルダー１２に対するレンズ１１の回転角度を確実に確認することができる。
【００２８】
フランジ部１１２の内周部分、つまり光学機能部１１１の外周部分の平面形状は、完全な円形状の形状とすることができる。多角形状のフランジ部１１２のフランジ側面１１２ｃにゲート位置が設けられ、角部分の上面はマーキング１１０の基準位置となる。このゲート位置は、多角形状のフランジ部１１２の角部分と角部分との間に設けることができるが、これに限らず、角部分に設けてもよい。
【００２９】
本実施形態では、マーキング１１０は、フランジ上面１１２ａに設けられ、特に角部分とレンズ中心（光軸）とを結んだ直線上付近に配置されているが、これに限らず、角部分と角部分との間に配置してもよい。マーキング１１０は、例えば成形金型やキャビティ、さらには射出成形装置等の製造治具を識別するために設けられている。また、マーキング１１０の形状は、長円形状、円形状とすることができ、また１箇所に限らず、別の複数箇所に設けてもよい。
【００３０】
次に、図３を用いて、本発明に係るアクチュエータ１３について具体的に説明する。図３は、本発明に係るアクチュエータ１３を示す斜視図である。
図３に示すように、アクチュエータ１３は、本体部１３１およびホルダー１２を有し、このアクチュエータ１３では本体部１３１およびホルダー１２が一体成形されている。本体部１３１はアクチュエータ１３の本体となる部分であり、ホルダー１２はレンズ１１を収容して保持する部分である。ホルダー１２はその内側に収容部１２ａが設けられた筒状体であり、レンズ１１はこの収容部１２ａに嵌め込まれる。ホルダー１２の内周縁の形状、すなわち、収容部１２ａの底面の形状は、レンズ１１のフランジ部１１２の外周と同じ形状であり、具体的には多角形状の形状となっている。より具体的には、収容部１２ａの底面の形状は、略８角形状の形状となっている。
【００３１】
このようなホルダー１２に、次のようにレンズ１１が嵌め込まれる。レンズ１１の光学機能部１１１の光軸とホルダー１２の長手方向（収容部１２ａの底面に対して略垂直な方向）とが略平行となるように位置合せされ、この状態でホルダー１２の収容部１２ａにレンズ１１が嵌め込まれる。このとき、レンズ１１のフランジ部１１２の側面がホルダー１２の内壁に沿うように、ホルダー１２の内壁に囲われた収容部１２ａにレンズ１１が嵌め込まれる。レンズ１１のフランジ部１１２は、この嵌め込まれた状態で収容部１２ａの内壁に当接している。すなわち、レンズ１１のフランジ部１１２は、その側面全体に亘って収容部１２ａの内壁によって保持されている。このとき、フランジ部１１２の側面に接着剤等の接着手段が塗布され、フランジ部１１２の側面は、収容部１２ａに嵌め込まれた状態で収容部１２ａの内壁に接着固定される。
【００３２】
以上のように、本発明の実施の形態では、光学機能部１１１の光軸に対して略平行に平面視したレンズ外周部のフランジ部１１２の形状を多角形状としている。それとともに、レンズ１１が嵌め込まれるホルダー１２の内周縁の形状、すなわち、ホルダー１２の内壁に囲われた収容部１２ａの底面の形状をフランジ部１１２の平面形状と同じ多角形状としている。これによって、レンズ１１がホルダー１２の収容部１２ａ内で回転することなく、正確な角度でレンズ１１を確実かつ簡便に取付けることができる。それゆえ、レンズ１１のホルダー１２への取付け作業の作業性を向上させることができ、ピックアップ特性の安定性を向上させることができる。また、従来の円形状又は略円形状のレンズに比べて、収差調整の取付け角度が制限されるものの、調整角は約４５°とすることによって取付け角度の自由度を十分に得ることができる。すなわち、光学機能部１１１の光軸に対して略平行に平面視したレンズ１１のフランジ部１１２の形状と、ホルダー１２の内壁に囲われた収容部１２ａの底面形状とを略８角形状とすることによって、取付け角度の自由度を実現することができる。
【００３３】
発明の実施の形態２．
実施形態１では、ホルダー１２の収容部１２ａの形状は筒状形状であるとしたが、レンズホルダーの構造はこれに限らず、種々の取付け手段を用いて構成することが可能である。
図４に、本実施形態２におけるレンズホルダーの一例が示されている。図４に示すように、ホルダー３２は、実施形態１のホルダー１２のようにレンズ１１におけるフランジ部１１２の側面全体に亘って保持するのではなく、略８角形状のレンズ１１の角部分を保持している。具体的には、ホルダー３２は、保持リブ３２１、３２２、３２３、３２４を有し、これら保持リブ３２１〜３２４によって収容部が構成される。
【００３４】
保持リブ３２１、３２３は、略８角形の対角部分において対峙した状態で直立し、保持リブ３２２、３２４は、略８角形の対角部分において対峙した状態で直立している。このとき、これら保持リブ３２１〜３２４によって形作られた空間は、光学機能部１１１の光軸に対して略平行に平面視したレンズ１１のフランジ部１１２の形状に対向されている。換言すれば、保持リブ３２１〜３２４は、実施形態１におけるホルダー１２の収容部１２ａの外周に沿って、その角部分に配置されている。
【００３５】
このような保持リブ３２１〜３２４は、略８角形状のフランジ部１１２における角部分を保持することができる。また、保持リブ３２１〜３２４の弾性を適宜変更したり、対角配置されたもの同士の間隔を狭めたりすることによってレンズ１１をより確実に保持することが可能となる。本実施形態２のホルダー３２のように、保持リブ３２１〜３２４を用いてレンズ１１の位置を規制する場合には、実施形態１のホルダー１２に比べてホルダー３２を軽量化することができる。そのため、光ピックアップ装置１の負担改善、性能向上、コストダウンを実現することができる。
【００３６】
発明の実施の形態３．
実施形態２においては、収容部を構成するのに保持リブを用いたが、これに限らず、レンズ１１を側面から保持することができればよい。例えば、図５に示すように、ホルダー４２の収容部を構成するのに、円ピン４２１〜４２４を用いることができる。このとき、円ピン４２１〜４２４は、実施形態２の保持リブ３２１〜３２４が対角配置されたレンズ１１の角部分を保持したのに対して、対角配置された円ピン同士の間で、レンズ１１の辺部分を保持している。
【００３７】
このように、円ピン４２１〜４２４を用いてレンズ１１の位置を規制することが可能である。この場合には、実施形態２のホルダー１２，３２に比べてもさらに軽量化することがかのうである。さらに、円ピン４２１〜４２４とともにホルダー４２全体を射出成形によって形成することができるので、成形金型を含めた製造工程の簡略化が可能となる。
以上の説明は、本発明を実施の形態を説明するものであり、本発明が以上の実施の形態に限定されるものではない。また、当業者であれば、以上の実施の形態の各要素を、本発明の範囲において、容易に変更、追加、変換することが可能である。
上記発明の実施態様では、レンズ１１の光軸に対して略平行に平面視したレンズ１１のフランジ部１１２の外周部分の形状は、具体的に略８角形状の形状であると説明したが、レンズ１１のフランジ部１１２の外周部分の平面形状を、略８角形以外の多角形状としてもよい。このとき、ホルダー１２の内壁に囲われた収容部１２ａの底面形状は、レンズ１１の光軸に対して略平行に平面視したレンズ１１のフランジ部１１２の外周部分の形状に対応される。
尚、本発明では、略４５度ごとの調整を例に略８角形状のレンズ１１について説明したが、略６０度が必要なら略６角形状とすればよく、ホルダーも対応した形状とすればよい。
【図面の簡単な説明】
【００３８】
【図１】本発明に係る光ピックアップ装置の一例を示す斜視模式図である。
【図２】本発明に係るピックアップレンズの一例を示す模式図である。
【図３】本発明に係るレンズホルダーの一例を示す斜視模式図である。
【図４】本発明に係る光ピックアップ装置の他の一例を示す斜視模式図である。
【図５】本発明に係る光ピックアップ装置の他の一例を示す斜視模式図である。
【図６】従来の光ピックアップ装置の一例を示す斜視模式図である。
【符号の説明】
【００３９】
１  光ピックアップ装置
１１  ピックアップレンズ（レンズ）
１１０  マーキング
１１１  光学機能部
１１２  フランジ部
１１２ａ  フランジ上面
１１２ｂ  フランジ側面
１１２ｃ  フランジ下面
１２  レンズホルダー（ホルダー）
１２ａ  収容部
１３  アクチュエータ
１３１  本体部
３２  レンズホルダー（ホルダー）
３２１〜３２４  保持リブ
４２  レンズホルダー（ホルダー）
４２１〜４２４  円ピン
【図１】
2008021357.tif 000003
【図２】
2008021357.tif 000004
【図３】
2008021357.tif 000005
【図４】
2008021357.tif 000006
【図５】
2008021357.tif 000007
【図６】
2008021357.tif 000008